(57)【要約】【課題】個人情報を登録しなくても懸賞へ参加することができ、また利用者のアクセスを増加させることができる懸賞システムを提供することを目的とする。【解決手段】懸賞番号購入者より懸賞番号の購入依頼を受付け、懸賞番号決定手段が購入依頼に基づいて懸賞番号購入者へ販売する懸賞番号を決定し、懸賞情報記載物作成手段が決定した懸賞番号と当選結果確認先を示すアクセス情報とを記載した懸賞情報記載物を作成する。そして、当選結果通知手段が懸賞情報記載物の配布を受けた懸賞番号利用者からのアクセス情報に基くアクセスを受付けて、スポンサーアクセス情報と共に当選の結果を懸賞番号利用者に通知する。また当選確認手段は、懸賞番号利用者が配布を受けた懸賞情報記載物から懸賞番号を読み取り、当該読み取った懸賞番号と当選結果データベースに記録された懸賞番号とを比較して、当選確認を行なう。【選択図】  図１
2004326655.tif 000002
【特許請求の範囲】
【請求項１】
懸賞番号購入者より懸賞番号の購入依頼を受付ける購入依頼受付手段と、
前記購入依頼に基づいて前記懸賞番号購入者へ販売する懸賞番号を決定する懸賞番号決定手段と、
前記決定した懸賞番号と当選結果確認先を示すアクセス情報とを記載した懸賞情報記載物を作成する懸賞情報記載物作成手段と、
当選した懸賞番号を記憶する当選結果データベースと、
前記懸賞情報記載物の配布を受けた前記懸賞番号利用者からの前記アクセス情報に基くアクセスを受付けて、当選の結果を前記懸賞番号利用者に通知する当選結果通知手段と、
前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認手段と、
を備えることを特徴とする懸賞システム。
【請求項２】
懸賞品のスポンサーのウェブページへアクセスするスポンサーアクセス情報を懸賞番号利用者に通知する懸賞システムにおいて、
懸賞番号購入者より懸賞番号の購入依頼を受付ける購入依頼受付手段と、
前記購入依頼に基づいて前記懸賞番号購入者へ販売する懸賞番号を決定する懸賞番号決定手段と、
前記決定した懸賞番号と当選結果確認先を示すアクセス情報とを記載した懸賞情報記載物を作成する懸賞情報記載物作成手段と
当選した懸賞番号を記憶する当選結果データベースと、
前記懸賞情報記載物の配布を受けた前記懸賞番号利用者からの前記アクセス情報に基くアクセスを受付けて、前記スポンサーアクセス情報と共に当選の結果を前記懸賞番号利用者に通知する当選結果通知手段と、
前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認手段と、
を備えることを特徴とする懸賞システム。
【請求項３】
懸賞情報記載物作成手段は前記アクセス情報で示されるウェブページのサイト名も前記懸賞情報記載物に記載することを特徴とする請求項１または請求項２の何れかに記載の懸賞システム。
【請求項４】
前記懸賞情報記載物はシールであることを特徴とする請求項１から請求項３の何れかに記載の懸賞システム。
【請求項５】
懸賞番号購入者より懸賞番号の購入依頼を受付ける購入依頼受付過程と、
前記購入依頼に基づいて前記懸賞番号購入者へ販売する懸賞番号を決定する懸賞番号決定過程と、
前記決定した懸賞番号と当選結果確認先を示すアクセス情報とを記載した懸賞情報記載物を作成する懸賞情報記載物作成過程と、
当選した懸賞番号を記憶する当選結果データベースと、
前記懸賞情報記載物の配布を受けた前記懸賞番号利用者からの前記アクセス情報に基くアクセスを受付けて、当選の結果を前記懸賞番号利用者に通知する当選結果通知過程と、
前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認過程と、
を有することを特徴とする懸賞方法。
【請求項６】
懸賞品のスポンサーのウェブページへアクセスするスポンサーアクセス情報を懸賞番号利用者に通知する懸賞システムにおける懸賞方法であって、
懸賞番号購入者より懸賞番号の購入依頼を受付ける購入依頼受付過程と、
前記購入依頼に基づいて前記懸賞番号購入者へ販売する懸賞番号を決定する懸賞番号決定過程と、
前記決定した懸賞番号と当選結果確認先を示すアクセス情報とを記載した懸賞情報記載物を作成する懸賞情報記載物作成過程と
当選した懸賞番号を記憶する当選結果データベースと、
前記懸賞情報記載物の配布を受けた前記懸賞番号利用者からの前記アクセス情報に基くアクセスを受付けて、前記スポンサーアクセス情報と共に当選の結果を前記懸賞番号利用者に通知する当選結果通知過程と、
前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認過程と、
を有することを特徴とする懸賞方法。
【発明の詳細な説明】
【０００１】
【発明の属する技術分野】
この発明は、コンピュータシステムに係り、特に、懸賞システム及び懸賞方法に関するものである。
【０００２】
【従来の技術】
従来、ウェブページに懸賞品を掲載して、インターネット上に懸賞品の情報を提供する懸賞システムが存在する。この懸賞システムでは、インターネットを介して利用者の端末から懸賞への参加の登録を受付ける。そして登録した利用者に対して、懸賞番号や当選発表後に当選結果を閲覧することができるＵＲＬ（Ｕｎｉｆｏｒｍ  Ｒｅｓｏｕｒｃｅ  Ｌｏｃａｔｏｒ）などの情報を発行する。そして、当選発表後に利用者からの前記ＵＲＬに基づくアクセスを受付けると、当選結果を利用者の端末に通知する。尚、懸賞を掲載するウェブページに関する技術が特許文献１として公開されている。
【０００３】
【特許文献１】
特開２００１−２０２４６８号公報
【０００４】
【発明が解決しようとする課題】
しかしながら、上述の懸賞システムでは、懸賞の応募を受付ける際に利用者にメールアドレスや氏名や住所などの個人情報の入力を求めているので、例えば、インターネットを介して個人情報を送信したくないと考えている利用者や、応募時の個人情報の登録が面倒と考える利用者の懸賞への参加を逃してしまっていた。また、従来、懸賞システムがインターネット上に提供するウェブページへの利用者からのアクセスをどのようにして拡大するかという課題があった。
そこでこの発明は、懸賞へ応募する利用者が個人情報を登録しなくても懸賞へ参加することができ、また懸賞システムによりインターネット上に提供されるウェブページへの利用者のアクセスを増加させることができる懸賞システム及び懸賞方法を提供することを目的としている。
【０００５】
【課題を解決するための手段】
本発明は、上述の課題を解決すべくなされたもので、懸賞番号購入者より懸賞番号の購入依頼を受付ける購入依頼受付手段と、前記購入依頼に基づいて前記懸賞番号購入者へ販売する懸賞番号を決定する懸賞番号決定手段と、前記決定した懸賞番号と当選結果確認先を示すアクセス情報とを記載した懸賞情報記載物を作成する懸賞情報記載物作成手段と当選した懸賞番号を記憶する当選結果データベースと、前記懸賞情報記載物の配布を受けた前記懸賞番号利用者からの前記アクセス情報に基くアクセスを受付けて、当選の結果を前記懸賞番号利用者に通知する当選結果通知手段と、前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認手段とを備えることを特徴とする懸賞システムである。
【０００６】
上述の構成によれば本発明は、購入依頼受付手段が懸賞番号購入者より懸賞番号の購入依頼を受付け、懸賞番号決定手段が購入依頼に基づいて懸賞番号購入者へ販売する懸賞番号を決定し、懸賞情報記載物作成手段が決定した懸賞番号と当選結果確認先を示すアクセス情報とを記載した懸賞情報記載物を作成する。そして懸賞システムを運営する業者が懸賞情報記載物を懸賞番号購入者へ渡し、懸賞番号購入者が懸賞情報記載物を懸賞番号利用者に配布する。そして、当選結果通知手段が懸賞情報記載物の配布を受けた懸賞番号利用者からのアクセス情報に基くアクセスを受付けて、当選の結果を懸賞番号利用者に通知する。懸賞システムを運営する業者は懸賞番号利用者から当選した懸賞番号記載物を受け取り、懸賞システムの当選確認手段が、当該懸賞情報記載物から懸賞番号を読み取って、読み取った懸賞番号と当選結果データベースに記録された懸賞番号とを比較して当選確認を行なう。
これにより、懸賞番号利用者は懸賞番号購入者から配布物を受け取ることにより懸賞に参加できるようになるので、懸賞番号利用者は懸賞への参加だけであれば、懸賞品を掲示しているウェブページにアクセスして個人情報を登録しなくても良くなる。そして、当選したときにだけ個人情報を懸賞システムに登録すればよい。また、懸賞番号利用者は懸賞番号と当選結果確認先を示すアクセス情報とを記載した懸賞情報記載物の配布を受けて、そのアクセス情報に基いて懸賞システムへアクセスするので、普段は懸賞システムへアクセスする機会のない懸賞番号利用者に対して、アクセスを促す動機付けとなり、懸賞システムが提供するウェブページへの懸賞番号利用者によるアクセスを増やすことができる。
【０００７】
また本発明は、懸賞品のスポンサーのウェブページへアクセスするスポンサーアクセス情報を懸賞番号利用者に通知する懸賞システムにおいて、懸賞番号購入者より懸賞番号の購入依頼を受付ける購入依頼受付手段と、前記購入依頼に基づいて前記懸賞番号購入者へ販売する懸賞番号を決定する懸賞番号決定手段と、前記決定した懸賞番号と当選結果確認先を示すアクセス情報とを記載した懸賞情報記載物を作成する懸賞情報記載物作成手段と、当選した懸賞番号を記憶する当選結果データベースと、前記懸賞情報記載物の配布を受けた前記懸賞番号利用者からの前記アクセス情報に基くアクセスを受付けて、前記スポンサーアクセス情報と共に当選の結果を前記懸賞番号利用者に通知する当選結果通知手段と、前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認手段とを備えることを特徴とする懸賞システムである。
【０００８】
また本発明は、上述の懸賞システムにおいて、懸賞情報記載物作成手段が前記アクセス情報で示されるウェブページのサイト名も前記懸賞情報記載物に記載することを特徴とする。
また本発明は、上述の懸賞システムにおいて、前記懸賞情報記載物がシールであることを特徴とする。
【０００９】
また本発明は、懸賞番号購入者より懸賞番号の購入依頼を受付ける購入依頼受付過程と、前記購入依頼に基づいて前記懸賞番号購入者へ販売する懸賞番号を決定する懸賞番号決定過程と、前記決定した懸賞番号と当選結果確認先を示すアクセス情報とを記載した懸賞情報記載物を作成する懸賞情報記載物作成過程と、当選した懸賞番号を記憶する当選結果データベースと、前記懸賞情報記載物の配布を受けた前記懸賞番号利用者からの前記アクセス情報に基くアクセスを受付けて、当選の結果を前記懸賞番号利用者に通知する当選結果通知過程と、前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認過程とを有することを特徴とする懸賞方法である。
【００１０】
また本発明は、懸賞品のスポンサーのウェブページへアクセスするスポンサーアクセス情報を懸賞番号利用者に通知する懸賞システムにおける懸賞方法であって、懸賞番号購入者より懸賞番号の購入依頼を受付ける購入依頼受付過程と、前記購入依頼に基づいて前記懸賞番号購入者へ販売する懸賞番号を決定する懸賞番号決定過程と、前記決定した懸賞番号と当選結果確認先を示すアクセス情報とを記載した懸賞情報記載物を作成する懸賞情報記載物作成過程と、当選した懸賞番号を記憶する当選結果データベースと、前記懸賞情報記載物の配布を受けた前記懸賞番号利用者からの前記アクセス情報に基くアクセスを受付けて、前記スポンサーアクセス情報と共に当選の結果を前記懸賞番号利用者に通知する当選結果通知過程と、前記懸賞番号利用者が配布を受けた懸賞情報記載物から前記懸賞番号を読み取り、当該読み取った懸賞番号と前記当選結果データベースに記録された懸賞番号とを比較して、当選確認を行なう当選確認過程とを有することを特徴とする懸賞方法である。
【００１１】
【発明の実施の形態】
以下、本発明の一実施形態による懸賞システムを図面を参照して説明する。
図１は、この発明の一実施形態による懸賞システムの構成を示す概略ブロック図である。
この図において、符号１は懸賞番号購入者の端末からネットワークを介して懸賞の応募を受付ける懸賞システムである。また符号２は懸賞番号購入者の端末である。また３は懸賞番号利用者の端末である。
【００１２】
また、懸賞システム１において符号１１は懸賞番号データベースであり、懸賞番号と懸賞番号購入者のＩＤとを対応付けて記憶する。また１２は当選結果データベースであり、当選した懸賞番号を記憶している。また１３は懸賞番号購入者の端末２や、懸賞番号利用者の端末３からのアクセスを受付けて、ウェブページを送受信するウェブアクセス部である。また１４は、懸賞番号購入者の端末２より購入依頼を受付ける購入依頼受付部（購入依頼受付手段）である。また１５は、購入依頼に基づいて懸賞番号データベース１１に記録されている懸賞番号の中から販売されていない懸賞番号を決定する懸賞番号決定部（懸賞番号決定手段）である。
【００１３】
また１６は、懸賞番号購入者へ販売される懸賞番号と当該懸賞番号が当選したか否かを確認する為のＵＲＬ（アクセス情報）と懸賞システム１が提供しているホームページのサイト名とが記載されたシール（懸賞情報記載物）を作成するシール作成部（懸賞情報記載物作成手段）である。また１７は、懸賞番号利用者からの要求に基づいて当選した懸賞番号を当選結果データベース１２から読み取って、当該当選懸賞番号を掲載したウェブページを送信する当選結果通知部（当選結果通知手段）である。また１８は、当選した懸賞番号の配布物を保持する懸賞番号利用者から、当選の通知を受付ける当選通知受付部である。また１９は当選した懸賞番号利用者からの当選認証を受付ける当選認証部である。また２０は懸賞商品の受け取り方法を懸賞番号利用者に通知する懸賞商品受取方法通知部である。また２１は懸賞番号利用者より通知を受けた懸賞番号と当選結果データベース１２に記録されている懸賞番号を比較して、当選の確認を行なう当選確認部（当選確認手段）である。
【００１４】
そして、懸賞システム１はインターネットに接続されており、インターネットを介して懸賞番号購入者の端末２からのアクセスを受付ける。そして、懸賞番号購入者の端末２に購入依頼受付ウェブページを送信し、当該購入依頼受付ウェブページにおいて入力された購入依頼を受付ける。また懸賞システム１は懸賞番号利用者の端末３からのアクセスを受付け、懸賞番号利用者の要求に基づいて当選した懸賞番号を掲載したウェブページを送信する。なお、懸賞番号購入者は懸賞番号の購入依頼をして、当該懸賞番号とその懸賞番号が当選したか否かを確認する為のＵＲＬと懸賞システム１がインターネット上に提供するウェブページの懸賞サイト名とを記載したシールを受取る。そして懸賞番号購入者は、そのシールを配布物に貼り付け、当該配布物を懸賞番号利用者に配布する。懸賞番号利用者は配布物を受取って、その配布物に記載されている懸賞番号を用いて懸賞に参加する。ここで配布物は、例えば名刺やパンフレットなどである。
また上述の懸賞システムがインターネット上に提供するウェブページには懸賞品が掲載されている。この懸賞品は例えばスポンサーに対して、懸賞システムを運営する業者が営業活動を行なって獲得した商品である。そして懸賞システム１を運営する業者は、懸賞システムがインターネット上に提供するウェブページに懸賞品を掲載する。
【００１５】
次に、懸賞方法の処理の流れについて図２を参照して説明する。図２は懸賞方法のフローを示す図である。
まず、懸賞システム１が懸賞番号購入者の端末２からアクセスを受付ける。するとウェブアクセス部１３は懸賞番号購入者の端末２へウェブページを送信する。このウェブページには購入依頼を受付けるウェブページへのリンク先の情報が掲載されている。そして、懸賞番号購入者が端末２において購入依頼を受付けるウェブページへのアクセスを指示すると、端末２は購入依頼受付ウェブページへアクセスする。すると、懸賞システム１の購入依頼受付部１４が購入依頼受付ウェブページの送信をウェブアクセス部１３に通知して、ウェブアクセス部１３が購入依頼受付ウェブページを懸賞番号購入者の端末２に送信する。そして懸賞番号購入者は、例えば懸賞番号の購入数と、懸賞番号購入者を識別する為のＩＤとの入力を端末３のモニタに表示された購入依頼受付ウェブページ上で行ない、決定ボタンなどをクリックすることにより購入依頼を行なう（ステップＳ１）。すると、懸賞番号購入者の端末２は懸賞番号購入者のＩＤと購入数とを懸賞システム１に送信する。
【００１６】
次に、購入依頼受付部１４は端末２から送信された懸賞番号購入者のＩＤと購入数を懸賞番号決定部１５に通知する。すると、懸賞番号決定部１５は懸賞番号データベース１１を検索して、例えば、懸賞番号購入者のＩＤとの対応付けがされていない懸賞番号を購入数分特定する（ステップＳ２）。そして、懸賞番号決定部１５は特定した懸賞番号に、通知を受けた懸賞番号購入者のＩＤとを対応付けて懸賞番号データベース１１に記録する。なお、懸賞番号決定部１５は、特定した懸賞番号を記載した電子メールを端末２に送信することにより、懸賞番号購入者の購入した懸賞番号を通知するようにしても良い。
次にシール作成部１６が、懸賞番号決定部１５の決定した懸賞番号と、当選結果を掲載したウェブページのＵＲＬと、懸賞システム１がインターネット上に提供するウェブページサイト名とを記載したシールを作成する（ステップＳ３）。なお、このシールは郵送により懸賞システムを運営する業者から懸賞番号購入者へ郵送される（ステップＳ４）。ここで、懸賞番号とＵＲＬとサイト名とが記載されたシールの印刷は印刷業者に依頼するようにしても良い。
【００１７】
次に、懸賞番号購入者は懸賞番号などが記載されたシールの郵送を受けると、そのシールを配布物に貼り付けて、顧客（懸賞番号利用者）などに配布する（ステップＳ５）。そして、配布物を受取った懸賞番号利用者は、当該配布物に貼り付けられたシールに記載されている懸賞番号が当選しているか否かを確認する為に、当該シールに記載されたＵＲＬへ端末３を用いてアクセスする（ステップＳ６）。
【００１８】
配布物を受取った懸賞番号利用者が端末３を用いて配布物のシールに記載されたＵＲＬにアクセスすると、懸賞システム１のウェブアクセス部１３は懸賞番号利用者の端末３へウェブページを送信する。このウェブページには当選懸賞番号を掲載したウェブページへのリンク先の情報も掲載されている。そして、懸賞番号利用者が端末３において当選懸賞番号を掲載したウェブページへのアクセスを指示すると、端末３は当選懸賞番号を掲載したウェブページへアクセスする。すると、懸賞システム１の当選結果通知部１７は、当選結果データベース１２から当選懸賞番号を読み取って、その当選懸賞番号を掲載したウェブページを送信するようウェブアクセス部１３に指示する。そしてウェブアクセス部１３が当選懸賞番号を掲載したウェブページを端末３に送信する（ステップＳ７）。懸賞番号利用者は、端末３のモニタに表示されたウェブページを確認して、配布物に記載されている懸賞番号が当選した懸賞番号か否かを確認する。なお懸賞番号を掲載したウェブページには、例えば懸賞品のスポンサーのウェブサイトにアクセスできるバナー広告（スポンサーアクセス情報）が掲載されている。このバナー広告をクリックすると、当該バナー広告にリンクされているスポンサーのウェブサイトへアクセスすることができる。
【００１９】
次に、当選した懸賞番号の配布物を保持する懸賞番号利用者が、当選者登録をする際の処理について説明する。
まず、当選した懸賞番号の配布物を保持する懸賞番号利用者は、配布物のシールに記載されているＵＲＬにアクセスする。すると、懸賞システム１のウェブアクセス部１３は懸賞番号利用者の端末３へウェブページを送信する。このウェブページには、当選者登録の受付を行なうウェブページへのリンク先の情報も掲載されている。そして、懸賞番号利用者が端末３において当選者登録の受付を行なうウェブページへのアクセスを指示すると、端末３は当選者登録の受付を行なうウェブページへアクセスする。すると、懸賞システム１の当選通知受付部１８は当選者登録の受付を行なうウェブページを送信するようウェブアクセス部１３に指示する。そしてウェブアクセス部１３が当選者登録の受付を行なうウェブページを端末３に送信する。
【００２０】
次に、懸賞番号利用者は当選者登録の受付を行なうウェブページにおいて、氏名、住所、メールアドレスなどの個人情報と、当選した懸賞番号を入力して当選者登録を行なう（ステップＳ８）。すると端末３が懸賞システム１に当選者登録を行なった懸賞番号利用者の個人情報と当選した懸賞番号を送信する。そして当選通知受付部１８は、受付けた個人情報と懸賞番号を対応付けて、例えば当選者データベースに記録する。次に当選通知受付部１８は、当選者登録を受付けた懸賞番号利用者のメールアドレス宛てに、パスワードの記載した確認メールを送信する（ステップＳ９）。この確認メールは、当選した懸賞番号の配布物を保有する懸賞番号利用者に対して当選者登録を受付けたことを通知すると共に、懸賞番号利用者が当選品受取方法の情報の通知を受ける為に認証システムへのアクセス時に必要なパスワードを通知するものである。
【００２１】
次に確認メールを受信した懸賞番号利用者は端末３を用いて懸賞システム１にアクセスする。すると、懸賞システム１のウェブアクセス部１３は懸賞番号利用者の端末３へウェブページを送信する。このウェブページには、当選者認証を行なうウェブページへのリンク先の情報も掲載されている。そして、懸賞番号利用者が端末３において当選者認証を行なうウェブページへのアクセスを指示すると、端末３は当選者認証を行なうウェブページへアクセスする。すると、懸賞システム１の当選者認証部１９は、当選者認証を行なうウェブページを送信するようウェブアクセス部１３に指示する。そしてウェブアクセス部１３が当選者認証を行なうウェブページを端末３に送信する。
【００２２】
次に懸賞番号利用者は、当選者認証を行なうウェブページに、確認メールに記載されたパスワードを入力し当選者認証を依頼する（ステップＳ１０）。すると、端末３はパスワードを懸賞システム１に送信する。そして懸賞システム１の当選者認証部１９が、パスワードが間違いないか否かを確認して当選者認証を行なう。次に、当選者認証が終了すると、懸賞品受取方法通知部２０が懸賞品受取方法の記載したメールを懸賞番号利用者の端末３に送信する（ステップＳ１１）。このメールには配布物の送付先の住所と、配布物を送らなければ懸賞品を受取れない旨の内容が記載されている。
次に、懸賞番号利用者は懸賞番号のシールが貼り付けてある配布物を、懸賞品受取方法に記載された住所に郵送する（ステップＳ１２）。すると懸賞システムを運営している業者の担当者は郵送された配布物を、懸賞システム１の当選確認部２１に読み取らせる。例えば、当選確認部２１がスキャナを備えており、そのスキャナが配布物に記載の懸賞番号を光学的に読み取る。そして当選確認部２１は読み取った懸賞番号が、当選結果データベース１２に記録されている当選結果の懸賞番号の中にあるかどうかを確認し（ステップＳ１３）、配布物の懸賞番号が当選した懸賞番号であると確認できた場合、懸賞システム１を運営している業者の担当者に、配布物に記載されている懸賞番号は当選した懸賞番号である旨を伝える。そして、業者の担当者は懸賞番号利用者の住所へ懸賞品を郵送する（ステップＳ１９）。
【００２３】
尚、本実施形態における懸賞システムを運営する業者は、懸賞品の当選を確認する為の懸賞番号を販売し利益を確保することができる。そして懸賞番号購入者は、購入した懸賞番号等が記載されたシールを配布物に貼り付け、それを懸賞番号利用者へ配布する。ここで、懸賞番号が掲示された印刷物には、懸賞サイトのサイト名とＵＲＬが掲載されているので、配布物を受け取った懸賞番号利用者は当選の可否確認のため、印刷されたサイト名の懸賞サイトにアクセスを行う。これにより、多くの懸賞番号利用者が当選の可否確認に懸賞サイトにアクセスを行うこととなり、懸賞サイトへのアクセス数を拡大することができる。
【００２４】
また、懸賞システム１の懸賞サイトにおいて、販売された懸賞番号が複数の懸賞品に利用できるようにする。配布物を受け取った懸賞番号利用者は、一つの懸賞品がはずれても他の懸賞にも当選権利があるため、有効期間内は、配布物を大切に保管するようになり、これにより配布物に付加価値が付与される。また、懸賞番号を掲示する配布物に上記の付加価値が付与されることにより、懸賞番号購入者は自分の配布物を有効に利用できるメリットがある。
【００２５】
また、本懸賞システムでは、当選した懸賞番号をインターネット上で提示するので、ホームページにアクセスする必要性がなかった懸賞番号利用者に対して、受取った配布物の懸賞番号が当選しているかもしれないという期待を持たせることができる。これにより、懸賞サイトのホームページに懸賞番号利用者が当選の確認のためにアクセスしてくるので、アクセス数増加のための動機付けを行うことができる。また、配布物が多いほど、懸賞番号利用者は当選の可否のために懸賞サイトにアクセスするため、懸賞システムを運営する業者の目的である、懸賞サイトの広告宣伝効果と利益確保を達成できる。
【００２６】
また、懸賞番号は、普段配布しているカタログチラシや名刺などの配布物に掲載される。これにより、今まで一回見たら必要なくってしまった配布物が、当選有効期間内は利用者の手元に大切に保管されるようになる。そして、配布物が付加価値を付与された配布物となり、配布物の有効利用につながる。
【００２７】
また懸賞番号が掲載されている配布物には、懸賞番号利用者を懸賞サイトに迷うことなく誘導できるように、懸賞サイトのサイト名を印刷して、確実に懸賞サイトにアクセスしてくるようにしている。これにより懸賞番号利用者が懸賞サイトのドメイン名を検索サイト等で探すなどの無駄な労力を軽減できるようになっている。
【００２８】
また懸賞番号などを掲載したシールは、懸賞番号購入者がどのような配布物や利用目的に利用しても可能である。そして、懸賞番号やＵＲＬやサイト名は主に名刺やカタログチラシ、葉書などに掲示しやすいようにシールなどの着脱可能な物に印刷されており、懸賞番号毎の複数のシールを配置した１つのシートにより販売を行う。なお懸賞番号やＵＲＬやサイト名を掲載して懸賞番号購入者に郵送する印刷物はシールに限らなくてもよい。
【００２９】
また、上述のシールの形は、懸賞サイトを運営するものによって色々な形で作成してもよい。そこに印刷する項目は、ＵＲＬ、サイト名、懸賞番号の３点を必ず印刷するものとする。なお、シールなどのＵＲＬ、サイト名、懸賞番号の３点を印刷した印刷物の大きさは特に制限は設けていないが、購入者の利用目的を考慮して、名刺サイズより幾分小さめの物が好ましい。
【００３０】
また、懸賞システム１を運営する業者は、懸賞品を懸賞サイトに掲載するため、スポンサーに対して営業を行い、懸賞品の提供を求める。また懸賞品についてはスポンサーからの提供にはこだわらず、懸賞システム１を運営する業者で用意されてもかまわない。
【００３１】
またスポンサーは、新製品などのＰＲしたい製品を懸賞品として提供することにより、懸賞サイトをＰＲの場として利用できる。そして、懸賞番号利用者が多数アクセスしてくる懸賞サイトは宣伝効果が期待できる絶好の場所であるので、スポンサーのウェブサイトのバナー広告を設置することも可能である。そして、当選の可否を確認する為に懸賞システム１にアクセスした懸賞番号利用者が、スポンサーの提供した懸賞品と広告バナーをクリックすることにより、スポンサーサイトのウェブサイトのアクセス数も増加できる促進を実現できる。
【００３２】
また、懸賞システム１を運営する業者は、懸賞番号を記載した印刷物（シールなど）の印刷を印刷業者に依頼する場合には、当該印刷業者と代理店契約を結ぶ。そして、懸賞システム１を運営する業者は、印刷業者が名刺やカタログ、チラシなどの印刷注文を受けたときに、懸賞番号を記載した印刷物の販売勧奨を行うよう印刷業者に依頼する。そして、印刷物を依頼したものと印刷業者との間で契約が成立し、印刷業者が実際に懸賞番号を印刷する際には、懸賞システム１を運営する業者から発行された懸賞番号と懸賞サイト名とＵＲＬとを、印刷業者が印刷物に印刷する。
【００３３】
また、印刷業者などの懸賞番号の販売代理店には、発行した懸賞番号の総受注額の何割かを手数料として支払うものとする。また、代理店契約をすることにより、懸賞システム１を運営する業者は、自社での営業活動を軽減することができる。
【００３４】
ここで、上述の懸賞システムは内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３５】
【発明の効果】
以上説明したように、この発明によれば、懸賞番号購入者より懸賞番号の購入依頼を受付け、懸賞番号決定手段が購入依頼に基づいて懸賞番号購入者へ販売する懸賞番号を決定し、懸賞情報記載物作成手段が決定した懸賞番号と当選結果確認先を示すアクセス情報とを記載した懸賞情報記載物を作成する。そして、当選結果通知手段が懸賞情報記載物の配布を受けた懸賞番号利用者からのアクセス情報に基くアクセスを受付けて、スポンサーアクセス情報と共に当選の結果を懸賞番号利用者に通知する。また当選確認手段は、懸賞番号利用者が配布を受けた懸賞情報記載物から懸賞番号を読み取り、当該読み取った懸賞番号と当選結果データベースに記録された懸賞番号とを比較して、当選確認を行なう。
これにより、懸賞番号利用者は懸賞番号購入者から配布物を受け取ることにより懸賞に参加できるようになるので、懸賞番号利用者は懸賞への参加だけであれば、懸賞品を掲示しているウェブページにアクセスして個人情報を登録しなくても良くなる。そして、当選したときにだけ個人情報を懸賞システムに登録すればよい。また、懸賞番号利用者は懸賞番号と当選結果確認先を示すアクセス情報とを記載した懸賞情報記載物の配布を受けて、そのアクセス情報に基いて懸賞システムへアクセスするので、普段は懸賞システムへアクセスする機会のない懸賞番号利用者に対して、アクセスを促す動機付けとなり、懸賞システムが提供するウェブページへの懸賞番号利用者によるアクセスを増やすことができる。
【図面の簡単な説明】
【図１】本発明の一実施形態による懸賞システムの構成を示す概略ブロック図である。
【図２】本発明による懸賞方法のフローを示す図である。
【符号の説明】
１  懸賞システム
２  懸賞番号購入者の端末
３  懸賞番号利用者の端末
１１  懸賞番号データベース
１２  当選結果データベース
１３  ウェブアクセス部
１４  購入依頼受付部
１５  懸賞番号決定部
１６  シール作成部
１７  当選結果通知部
１８  当選通知受付部
１９  当選認証部
２０  懸賞商品受取方法通知部
２１  当選確認部
【図１】
2004326655.tif 000003
【図２】
2004326655.tif 000004